【手続補正書】
【提出日】平成29年9月9日(2017.9.9)
【手続補正１】
【補正対象書類名】明細書
【補正対象項目名】０００８
【補正方法】変更
【補正の内容】
【０００８】
現時点において、（１）足首および足の安定性の向上をもたらし、（２）蹴り出しおよび着地の際にかかとおよび足前部にクッションをもたらし、（３）すべてのランニングおよびクロストレーニング靴の内部の形状に合わせた輪郭を示し、（４）きわめて軽量であり、（５）クッション性の向上をもたらし、（６）靴の使用および履き替えの際に動いたり、あるいは滑ったりすることが基本的にない、という目標を達成する靴の中敷きについて、ニーズが存在する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第７，７０７，７０５号明細書
（特許文献２）  米国特許第６，５１０，６２６号明細書
（特許文献３）  米国特許第６，１０５，２８３号明細書
（特許文献４）  米国特許第５，４３８，７６８号明細書
（特許文献５）  米国特許第５，４００，５２８号明細書
（特許文献６）  米国特許出願公開第２０１１／０１３１８３５号明細書
（特許文献７）  米国特許出願公開第２００７／００３９２０９号明細書
（特許文献８）  米国特許出願公開第２０１３／０１６０３３１号明細書
（特許文献９）  米国特許出願公開第２００４／０１９４３４４号明細書
（特許文献１０）  米国特許第６，４８１，１２０号明細書
【手続補正２】
【補正対象書類名】明細書
【補正対象項目名】００４８
【補正方法】変更
【補正の内容】
【００４８】
足前部パッド１０８、外側中足部ポッド１１２、外側かかとポッド１１４、および内側かかとポッド１１６は、ポッドまたはパッドの下面に交差溝パターンを備えて構成される。交差溝パターンは、ポッド／パッドの表面に空隙を導入する。そのような空隙および交差溝パターンは、各々のポッドおよびパッドの衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１２０は、深さが約０．７５ｍｍである。好ましくは、外側中足部および外側かかとの交差溝パターン１２１および１２２は、深さが約１．００〜３．００ｍｍである。好ましくは、内側かかとの交差溝パターン１２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。交差溝パターンは、靴の空洞における中敷きの固定を助け、中敷きを動き回ったり、滑ったりすることがないように所定の場所に保つ助けとなる。また、交差溝パターンは、空気の循環を可能にし、かつ／または異なるクッションおよびばね特性を提供する。
【手続補正３】
【補正対象書類名】明細書
【補正対象項目名】００８９
【補正方法】変更
【補正の内容】
【００８９】
外側かかとポッド５１４の構成、材料、および位置が、クッションを提供し、内側かかとポッド５１６との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部５０２の外側かかとポッド開口部５１１において基部５０２へと固定される。この布地部品は、ＴＰＲの基部５０２への適切な接着を可能にする。
【手続補正４】
【補正対象書類名】明細書
【補正対象項目名】０１０３
【補正方法】変更
【補正の内容】
【０１０３】
足前部パッド５０８、外側中足部ポッド５１２、外側かかとポッド５１４、および内側かかとポッド５１６は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン５２０は、深さが約０．７５ｍｍである。好ましくは、外側中足部および外側かかとの交差溝パターン５２１および５２２は、深さが約１．００〜３．００ｍｍである。好ましくは、内側かかとの交差溝パターン５２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。さらに、交差溝パターンは、中敷きが靴の中で動き回ったり、あるいは滑ったりすることがないように所定の場所に保つ助けとなる。
【手続補正５】
【補正対象書類名】明細書
【補正対象項目名】０１７４
【補正方法】変更
【補正の内容】
【０１７４】
足前部パッド９０８、外側中足部ポッド９１２、外側かかとポッド９１４、および内側かかとポッド９１６は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン９２０は、深さが約０．７５ｍｍである。好ましくは、外側中足部および外側かかとの交差溝パターンは、深さが約１．００〜３．００ｍｍである。好ましくは、内側かかとの交差溝パターン９２３は、深さが約１．００〜２．５０ｍｍである。
【手続補正６】
【補正対象書類名】明細書
【補正対象項目名】０２０９
【補正方法】変更
【補正の内容】
【０２０９】
足前部パッド凹領域１４０７が、好ましくは、内側半分において中足骨頭領域１４９２の全長を延び、外側半分において中足骨頭領域１４９２の前側の斜めの縁部から第３〜第５中足骨頭まで延びている。足前部パッド１４０８が、足前部パッド凹領域１４６７へと固定される。
【手続補正７】
【補正対象書類名】明細書
【補正対象項目名】０２３４
【補正方法】変更
【補正の内容】
【０２３４】
外側かかとポッド１５１４の構成、材料、および位置が、クッションを提供し、内側かかとポッド１５１６との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１５０２の外側かかとポッド開口部１５１１において基部１５０２へと固定される。この布地部品は、ＴＰＲの基部１５０２への適切な接着を可能にする。
【手続補正８】
【補正対象書類名】明細書
【補正対象項目名】０２４８
【補正方法】変更
【補正の内容】
【０２４８】
足前部パッド１５０８、外側中足部ポッド１５１２、外側かかとポッド１５１４、および内側かかとポッド１５１６は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１５２０は、深さが約０．７５ｍｍである。好ましくは、外側中足部および外側かかとの交差溝パターン１５２１および１５２２は、深さが約１．００〜３．００ｍｍである。好ましくは、内側かかとの交差溝パターン１５２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。さらに、交差溝パターンは、中敷きが靴の中で動き回ったり、あるいは滑ったりすることがないように所定の場所に保つ助けとなる。
【手続補正９】
【補正対象書類名】明細書
【補正対象項目名】０２８７
【補正方法】変更
【補正の内容】
【０２８７】
外側かかとポッド１５１４の構成、材料、および位置が、クッションを提供し、内側かかとポッド１５１６との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１５０２の外側かかとポッド開口部１５１１において基部１５０２へと固定される。この布地部品は、ＴＰＲの基部１５０２への適切な接着を可能にする。
【手続補正１０】
【補正対象書類名】明細書
【補正対象項目名】０３９４
【補正方法】変更
【補正の内容】
【０３９４】
図１５Ｄ−１〜１５Ｄ−５は、中敷きのポッド１５１２、１５１４、および１５１６の内側の側面、底面、外側の側面、斜視、および断面を示している。
【手続補正１１】
【補正対象書類名】明細書
【補正対象項目名】０３９５
【補正方法】変更
【補正の内容】
【０３９５】
さらに、安定用クレードル１５０６には、外側中足部ポッド開口部１５１１のほぼ後方からかかと側端部に向かって安定用クレードル１５０６のかかと領域の外側を貫いて延びる外側かかとポッド開口部１５１３が画成される。外側かかとポッド１５１４が、基本的に外側かかとポッド開口部１５１３と同じに形作られ、外側かかとポッド開口部１５１３に相関し、外側かかとポッド１５１４が前記外側かかとポッド開口部１５１３を通って延出することを可能にする位置において、安定用クレードル凹領域１５０５内の基部１５０２の下面に固定される。外側かかとポッド１５１４は、中敷き１５００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１５１４は、内側曲線縁部をさらに有する。全体構成は、大まかには直線よりもむしろ上述の湾曲した縁部を有する多面の幾何学的形状である。
【手続補正１２】
【補正対象書類名】明細書
【補正対象項目名】０３９６
【補正方法】変更
【補正の内容】
【０３９６】
外側かかとポッド１５１４の構成、材料、および位置が、クッションを提供し、内側かかとポッド１５１６との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１５０２の外側かかとポッド開口部１５１３において基部１０２へと固定される。この布地部品は、ＴＰＲの基部１５０２への適切な接着を可能にする。
【手続補正１３】
【補正対象書類名】明細書
【補正対象項目名】０４０６
【補正方法】変更
【補正の内容】
【０４０６】
図１５Ｅ−１〜１５Ｅ−４は、足前部パッド１５０８の内側の側面図、底面図、断面図、および斜視図を示している。足前部パッド１０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。足前部パッド１５０８、外側中足部ポッド１５１２、外側かかとポッド１５１４、および内側かかとポッド１５１６は、ポッドまたはパッドの下面に交差溝パターンを備えて構成される。交差溝パターンは、ポッド／パッドの表面に空隙を導入する。そのような空隙および交差溝パターンは、各々のポッドおよびパッドの衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１５２０は、深さが約０．７５ｍｍである。好ましくは、外側中足部および外側かかとの交差溝パターン１５２１および１５２２は、深さが約１．００〜３．００ｍｍである。好ましくは、内側かかとの交差溝パターン１５２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。交差溝パターンは、靴の空洞における中敷きの固定を助け、中敷きを動き回ったり、滑ったりすることがないように所定の場所に保つ助けとなる。また、交差溝パターンは、空気の循環を可能にし、かつ／または異なるクッションおよびばね特性を提供する。
【手続補正１４】
【補正対象書類名】明細書
【補正対象項目名】０６２８
【補正方法】変更
【補正の内容】
【０６２８】
図１６Ｄ−１〜１６Ｄ−５は、中敷きのポッド１６１２、１６１４、および１６１６の内側の側面図、底面図、外側の側面図、斜視図、および１つの断面図を示している。さらに、安定用クレードル１６０６には、外側中足部ポッド開口部１６１１のほぼ後方からかかと側端部に向かって安定用クレードル１６０６のかかと領域の外側を貫いて延びる外側かかとポッド開口部１６１３が画成される。外側かかとポッド１６１４が、基本的に外側かかとポッド開口部１６１３と同じに形作られ、外側かかとポッド開口部１６１３に相関し、外側かかとポッド１６１４が前記外側かかとポッド開口部１６１３を通って延出することを可能にする位置において、安定用クレードル凹領域１６０５内の基部１６０２の下面に固定される。外側かかとポッド１６１４は、中敷き１６００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１６１４は、内側曲線縁部をさらに有する。全体構成は、大まかには直線よりもむしろ上述の湾曲した縁部を有する多面の幾何学的形状である。
【手続補正１５】
【補正対象書類名】明細書
【補正対象項目名】０６３９
【補正方法】変更
【補正の内容】
【０６３９】
図１６Ｅ−１〜１６Ｅ−４は、足前部パッド１６０８の内側の側面図、底面図、断面図、および斜視図を示している。足前部パッド１０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。足前部パッド１６０８、外側中足部ポッド１６１２、外側かかとポッド１６１４、および内側かかとポッド１６１６は、ポッドまたはパッドの下面に交差溝パターンを備えて構成される。交差溝パターンは、ポッド／パッドの表面に空隙を導入する。そのような空隙および交差溝パターンは、各々のポッドおよびパッドの衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１６２０は、深さが約０．７５ｍｍである。好ましくは、外側中足部および外側かかとの交差溝パターン１６２１および１６２２は、深さが約１．００〜３．００ｍｍである。好ましくは、内側かかとの交差溝パターン１６２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。交差溝パターンは、靴の空洞における中敷きの固定を助け、中敷きを動き回ったり、滑ったりすることがないように所定の場所に保つ助けとなる。また、交差溝パターンは、空気の循環を可能にし、かつ／または異なるクッションおよびばね特性を提供する。
【手続補正１６】
【補正対象書類名】図面
【補正対象項目名】図９
【補正方法】変更
【補正の内容】
【図９】
2016530042.tif 000001
【手続補正１７】
【補正対象書類名】図面
【補正対象項目名】図１４
【補正方法】変更
【補正の内容】
【図１４】
2016530042.tif 000002
【手続補正１８】
【補正対象書類名】図面
【補正対象項目名】図１５Ｄ−１
【補正方法】変更
【補正の内容】
【図１５Ｄ−１】
2016530042.tif 000003
【手続補正１９】
【補正対象書類名】図面
【補正対象項目名】図１５Ｄ−２
【補正方法】変更
【補正の内容】
【図１５Ｄ−２】
2016530042.tif 000004
【手続補正２０】
【補正対象書類名】図面
【補正対象項目名】図１５Ｄ−３
【補正方法】変更
【補正の内容】
【図１５Ｄ−３】
2016530042.tif 000005
【手続補正２１】
【補正対象書類名】図面
【補正対象項目名】図１５Ｄ−５
【補正方法】変更
【補正の内容】
【図１５Ｄ−５】
2016530042.tif 000006
【手続補正２２】
【補正対象書類名】図面
【補正対象項目名】図１６Ｃ−１
【補正方法】変更
【補正の内容】
【図１６Ｃ−１】
2016530042.tif 000007
【手続補正２３】
【補正対象書類名】図面
【補正対象項目名】図１６Ｃ−２
【補正方法】変更
【補正の内容】
【図１６Ｃ−２】
2016530042.tif 000008
【手続補正２４】
【補正対象書類名】図面
【補正対象項目名】図１６Ｃ−３
【補正方法】変更
【補正の内容】
【図１６Ｃ−３】
2016530042.tif 000009
【手続補正２５】
【補正対象書類名】図面
【補正対象項目名】図１６Ｃ−５
【補正方法】変更
【補正の内容】
【図１６Ｃ−５】
2016530042.tif 000010